(57)【要約】【課題】ドレンパンや空気熱交換器のメンテナンスを容易にする。【解決手段】  ケーシング４内の送風路ＡをＬ字状に形成する。Ｌ字状送風路Ａの隅面とケーシング４内面とで形成される空室部Ｂと、空室部Ｂに隣接するＬ字状送風路Ａの一辺側の端部と、をケーシング４の同一側面３に配する。空室部Ｂに水冷ヒートポンプ６の空気熱交換器９以外の構成部品を設け、Ｌ字状送風路Ａの他辺側に空気熱交換器９を設ける。空気熱交換器９と空室部Ｂの下部にまたがってドレンパン１をケーシング４の同一側面３に対して引出収納自在として設ける。Ｌ字状送風路Ａの一辺側にファンモータユニット７をケーシング４の同一側面３に対して引出収納自在として設けかつ空気熱交換器点検口兼用のファンモータユニット引出収納口２を同一側面３に形成する。【選択図】図１
2005188904.tif 000002
【特許請求の範囲】
【請求項１】
ケーシング４内の送風路ＡをＬ字状に形成し、このＬ字状送風路Ａの隅面と前記ケーシング４内面とで形成される空室部Ｂと、この空室部Ｂに隣接する前記Ｌ字状送風路Ａの一辺側の端部と、を前記ケーシング４の同一側面３に配し、前記Ｌ字状送風路Ａの他辺側に前記水冷ヒートポンプ６の空気熱交換器９を設けると共に前記水冷ヒートポンプ６の他の構成部品を前記空室部Ｂに設け、前記空気熱交換器９と前記空室部Ｂの下部にまたがってドレンパン１を前記ケーシング４の同一側面３に対して引出収納自在として設け、前記Ｌ字状送風路Ａの一辺側にファンモータユニット７を前記ケーシング４の同一側面３に対して引出収納自在として設けかつ空気熱交換器点検口兼用のファンモータユニット引出収納口２を前記同一側面３に形成したことを特徴とする天埋形水冷ヒートポンプ式空調機。
【発明の詳細な説明】
【技術分野】
【０００１】
本発明は、天埋形水冷ヒートポンプ式空調機に関するものである。
【背景技術】
【０００２】
循環冷媒を介して熱源水と空調用空気を熱交換する天埋形水冷ヒートポンプ式空調機は、空調用空気を給気するためのファンモータユニット、熱源水で循環冷媒の熱交換をする水熱交換器、循環冷媒で空調用空気の熱交換をする空気熱交換器、圧縮機、ドレンパンなどを備えている。
【０００３】
この空気熱交換器やドレンパンはいわゆるビル管理法で法定点検の対象となっており、所定期間毎に清掃等を行う必要がある。ところが、空気熱交換器とドレンパンはケーシング内部に一体に固定されているため、ケーシングを天井内から下ろして分解清掃する必要があり、メンテナンスに非常に手間とコストが掛かる問題がある。
【０００４】
【特許文献１】実公平２−９３１４号公報
【発明の開示】
【発明が解決しようとする課題】
【０００５】
解決しようとする問題点は、ドレンパンや空気熱交換器のメンテナンスが面倒な点である。
【課題を解決するための手段】
【０００６】
本発明は、上記課題を解決するため、ケーシング内の送風路をＬ字状に形成し、このＬ字状送風路の隅面と前記ケーシング内面とで形成される空室部と、この空室部に隣接する前記Ｌ字状送風路の一辺側の端部と、を前記ケーシングの同一側面に配し、前記Ｌ字状送風路の他辺側に前記水冷ヒートポンプの空気熱交換器を設けると共に前記水冷ヒートポンプの他の構成部品を前記空室部に設け、前記空気熱交換器と前記空室部の下部にまたがってドレンパンを前記ケーシングの同一側面に対して引出収納自在として設け、前記Ｌ字状送風路の一辺側にファンモータユニットを前記ケーシングの同一側面に対して引出収納自在として設けかつ空気熱交換器点検口兼用のファンモータユニット引出収納口を前記同一側面３形成したことを最も主要な特徴とする。
【発明の効果】
【０００７】
請求項１の発明によれば、ケーシング４を天井から下ろさずに、ドレンパン１とファンモータユニット７を引出してメンテナンスし、ファンモータユニット引出収納口２からさらに空気熱交換器９をメンテナンスできる。これらの作業はすべてケーシング４の同一側面３から行えるので作業性がよくメンテナンスが容易となる。
【実施例】
【０００８】
図１と図２は、本発明の天埋形水冷ヒートポンプ式空調機の一実施例を示しており、この天埋形水冷ヒートポンプ式空調機は、循環冷媒を介して熱源水と空調用空気を熱交換する圧縮式の水冷ヒートポンプ６と、空調用空気を被空調空間へ給気するファンモータユニット７と、ドレンパン１と、を備え、天井内に設置される。このケーシング４内の送風路ＡをＬ字状に形成し、Ｌ字状送風路Ａの隅面とケーシング４内面とで形成される空室部Ｂと、空室部Ｂに隣接するＬ字状送風路Ａの一辺側の端部と、をケーシング４の同一側面３に配し、Ｌ字状送風路Ａの他辺側に水冷ヒートポンプ６の空気熱交換器９を設けると共に水冷ヒートポンプ６の他の構成部品を空室部Ｂに設け、空気熱交換器９と空室部Ｂの下部にまたがってドレンパン１をケーシング４の同一側面３に対して引出収納自在として設け、Ｌ字状送風路Ａの一辺側にファンモータユニット７をケーシング４の同一側面３に対して引出収納自在として設けかつ空気熱交換器点検口兼用のファンモータユニット引出収納口２を同一側面３に形成する。各図において白抜き矢印は風向きを示す。
【０００９】
ファンモータユニット７は、ファンとモータを支持プレートに取付けて一体化し、ケーシング４内のガイド部材に着脱自在に固定できかつファンモータユニット引出収納口２を通じて引出・収納できるように構成し、ファンモータユニット引出収納口２は外装板やカバーなどで着脱又は開閉自在に施蓋する。ケーシング４の同一側面３の下部にはドレンパン１を引出収納するための取出口５を形成し、外装板やカバーなどで着脱又は開閉自在に施蓋し、ドレンパン１をケーシング４内に着脱自在に固定できるように構成する。メンテナンスを行うには、天井板に設置の点検口１１に面したケーシング４の同一側面３のファンモータユニット引出収納口２と取出口５を開口させ、ドレンパン１とファンモータユニット７をケーシング４から引出せばよく、ファンモータユニット７を引出してできたＬ字状送風路Ａの空スペースを利用してファンモータユニット引出収納口２から空気熱交換器９のメンテナンスを行う。
【００１０】
水冷ヒートポンプ６は、熱源水で循環冷媒の熱交換をするプレート式の水熱交換器８と、循環冷媒で空調用空気の熱交換をする空気熱交換器９と、圧縮機１０と、図示省略の膨張弁、冷媒循環方向の正逆の切換弁（四方弁）、受液器等を備え、これらを配管接続して冷媒循環回路を構成しかつ切換弁により水熱交換器８と空気熱交換器９の吸熱と放熱（蒸発機能と凝縮機能）を切換自在に構成する。この水冷ヒートポンプ６の空気熱交換器９にて空調用空気を冷却又は加熱し、冷房と暖房を行う。ケーシング４の空調用空気入口は還気取入用としてダクトなどを介して室内などの被空調空間と連通させ、ケーシング４の空調用空気出口は給気用としてダクトなどを介して室内などの被空調空間に連通させる。
【図面の簡単な説明】
【００１１】
【図１】天埋形水冷ヒートポンプ式空調機を一部破断して示す斜視図。
【図２】天埋形水冷ヒートポンプ式空調機の平面断面図。
【符号の説明】
【００１２】
１      ドレンパン
２      ファンモータユニット引出収納口
３      同一側面
４      ケーシング
６      水冷ヒートポンプ
７      ファンモータユニット
９      空気熱交換器
Ａ      送風路
Ｂ      空室部
【図１】
2005188904.tif 000003
【図２】
2005188904.tif 000004